(57)【要約】      （修正有）【課題】放射線測定器によって放射線量を測定する場合において、計測対象物以外の方向からの放射線量を減衰・遮蔽し、対象物本来の放射線量を得ることができるようにした測定器補助具を提供する。【解決手段】放射線測定器のブローブ１を内包可能な容器形状をなし、底部以外は放射線遮蔽素材からなるカバーシート３で構成した測定器補助具としたもので、放射線測定器のブローブを内包するプラスチック製の内筒２と、この内筒の外壁に装着した放射線遮蔽素材からなるカバーシート３と、このカバーシート付内筒の頂部に載置される放射線遮蔽素材からなる内キャップ６と、これらを収納する積層ラバーで成形された外筒と、外筒の頂部に被せられる外キャップ８からなり、フローブのリード線１ａを頂部から引き出し可能とした測定器補助具である。【選択図】図１
0003180424.tif 000002
【実用新案登録請求の範囲】
【請求項１】
放射線測定器のブローブを内包可能な容器形状をなし、底部以外は放射線遮蔽素材で構成した測定器補助具。
【請求項２】
放射線測定器のブローブを内包するプラスチック製の内筒と、この内筒の外壁に装着した放射線遮蔽素材からなるカバーシートと、このカバーシート付内筒の頂部に載置される放射線遮蔽素材からなる内キャップと、これらを収納する積層ラバーで成形された外筒と、外筒の頂部に被せられる外キャップからなり、フローブのリード線を頂部から引き出し可能とした測定器補助具。
【請求項３】
放射線遮蔽素材が重金属を練り込んだ合成ゴムまたは樹脂の独立気泡の発泡体構造からなる請求項1又は２記載の放射線測定器の補助具。
【請求項４】
放射線遮蔽素材の重金属が鉛、スズ、タングステンで、合成ゴムまたは樹脂１００重量部に対して重金属１５〜３０重量部の配合比率とした請求項３記載の測定器補助具。
【請求項５】
外筒を構成する積層ラバーまたは樹脂が、合成ゴムまたは樹脂・合成繊維・合成ゴムまたは樹脂の３層構造からなる請求項２記載の測定器補助具。
【考案の詳細な説明】
【技術分野】
【０００１】
この考案は計測対象物の放射線量を計測する際において、より正確な放射線量の数値を得ることができるようにした測定器補助具に関するものである。
【背景技術】
【０００２】
放射線測定器によって放射線量を測定する場合、通常のままでの測定においては、対象物以外の方向からの放射線量も検知してしまうため、対象物本来の放射線量を得ることが困難となる問題点があった。
この点に鑑み、特許文献１では、放射線遮弊体からなる容器に放射線導入部を形成しその内部に放射線検出器を設置してなる放射線測定器が提供されている。
また、特許文献２では、周囲空間からの放射線を放射線検出器に入射させないように放射線検出器の周辺に遮蔽部材が配置された放射線検出装置が提供されている。
さらにまた、特許文献３では、放射線検出器に関し、特に検出視野（指向性）の調整に関するとし、放射線を検出する放射線センサと、前記放射線センサを包み込む形状を有し、前記放射線センサに対して相対的にスライド可能に設けられたコリメータ体からなる放射線検出器が提供されている。
【先行技術文献】
【特許文献】
【０００３】
【特許文献１】実公平４-50550号公報
【特許文献２】実公平５-39503号公報
【特許文献３】特開2002-214353号公報
【考案の概要】
【考案が解決しようとする課題】
【０００４】
上記従来例は、軽量で小型の検出器又は検出装置とはいえず、簡易に携帯して、土壌の線量を計測したり、横や頭上の対象物、例えば天井や壁などを簡易に、かつ正確に計測するためには適した機器とはいえながった。
そこで、この考案では、放射線測定器において、計測対象物の放射線量を計測する際に、対象物以外からの放射線量を減衰させ、対象物本来の線量を計測できるようにするとともに、小型・軽量化を図り、携帯に便利な測定器補助具を提供することを目的としている。
【課題を解決するための手段】
【０００５】
上記目的を達成するため、この考案においては、放射線測定器のプローブを内包可能であって、底部以外は放射線を遮蔽する素材で構成した小型・軽量な補助具を提供したものである。
【０００６】
すなわち、この考案では、放射線測定器のブローブを内包可能な容器形状をなし、底部以外は放射線遮蔽素材で構成した測定器補助具を提供している。
放射線測定器のブローブを内包可能な容器形状としたので、小型・軽量な補助具とすることができ、また、底部以外を放射線遮蔽素材で構成することによって、計測対象物の放射線量を計測する際に、対象物以外からの放射線量を減衰させ、対象物本来の線量を計測できるようにしたものである。
【０００７】
具体的には、放射線測定器のブローブを内包するプラスチック製の内筒と、この内筒の外壁に装着した放射線遮蔽素材からなるカバーシートと、このカバーシート付内筒の頂部に載置される放射線遮蔽素材からなる内キャップと、これらを収納する積層ラバーまたは樹脂で成形された外筒と、外筒の頂部に被せられる外キャップからなり、フローブのリード線を頂部から引き出し可能とした測定器補助具である。
【０００８】
カバーシートを構成する放射線遮蔽素材は、重金属を練り込んだ合成ゴムまたは樹脂の独立気泡の発泡体構造としている。独立気泡の発泡体を採用することによって放射線を拡散させ、重金属によって減衰・遮蔽するようにしたものである。
【０００９】
重金属としては鉛、スズ、タングステンを採用し、合成ゴムまたは樹脂１００重量部に対して重金属１５〜３０重量部の配合比率としている。
外筒を構成する積層ラバーまたは樹脂は、合成ゴムまたは樹脂・合成繊維・合成ゴムまたは樹脂の３層構造とするのが好ましく、合成ゴムまたは樹脂を最外層に配することによって、放射線物質の表面付着が殆どなく、水洗いが容易である。
また、３層構造として厚みを持たせ、表面に柔軟なラバーまたは樹脂を配しているので、仮に落下した場合においても破損が防止されている。
【００１０】
素材の主材がゴムまたは樹脂であるため、軽量化を達成しており、手持ちで天井や壁など全方向への計測を容易としている。
【考案の効果】
【００１１】
この考案に係る測定器補助具を用いれば、放射線測定器のブローブを内包して計測することにより、対象物以外からの放射線量を減衰させ、対象物本来の線量を計測することができる。
また、軽量・小型化できるので、携帯に便利であり、手持ちで天井や壁など全方向への計測が容易となる。
【図面の簡単な説明】
【００１２】
【図１】本考案に係る測定器補助具の一例を示す縦断面図。
【図２】同補助具の分解組立図。
【図３】補助具の他例を示す斜視図。
【考案を実施するための形態】
【００１３】
本考案に係る測定器補助具は、放射線測定器のブローブを内包可能な容器形状をなし、底部以外は放射線遮蔽素材で構成したことを特徴とするもので、以下、添付図面に従って具体的に説明する。
【００１４】
図１は補助具の断面図で、図２はその分解組立図を表わしている。
放射線測定器のブローブ１を内包するプラスチック製の内筒２として塩化ビニル筒を用い、この内筒２の外壁に放射線遮蔽素材からなるカバーシート３を巻き付けて接着している。この例では、締結バンド４で固定するとともに外側にセロハンシート５を被着してカバーシート３の押さえとするとともに、防水・防塵の役目を持たせている。また、汚れが生じた場合は、このセロハンシート５を交換して清浄性を保持できるようにしたものである。なお、締結バンド４、セロハンシート５は必ずとも必要としない。
【００１５】
カバーシート３を構成する放射線遮蔽素材は、重金属を練り込んだクロロプレンラバーなどの合成ゴムまたは樹脂の独立気泡の発泡体構造としている。また重金属としては鉛、スズ、タングステンを採用し、合成ゴムまたは樹脂１００重量部に対して重金属１５〜３０重量部の配合比率としている。
【００１６】
この放射線遮蔽素材は、セシウム137から発するガンマ線（662keV）を２０〜３５％遮蔽することができる。また、空間中にはＸ線等の他の放射線も含まれるので、地域によっては７０％以上遮蔽することができる。なお、JIS Z4501「Ｘ線防護用品の鉛当量試験方法」に基づく試験では９９．９%遮蔽を誇っている。
【００１７】
このカバーシート３を巻き付けて接着した内筒２の頂部には、放射線遮蔽素材からなる内キャップ６が載置され、これら全体を外筒７内に収納している。外筒７は積層ラバーまたは樹脂で成形されており、この例では、合成ゴムまたは樹脂・合成繊維・合成ゴムまたは樹脂の３層構造を採用している。合成ゴムとしてはクロロプレンラバー、合成繊維としてはナイロン、合成樹脂としてはポリウレタンが好適である。
【００１８】
３層構造を採用することによって、厚みを持たせており、また最外層に柔軟な合成ゴムまたは樹脂を配しているので、仮に落下した場合にも破損が防止されている。また、最外層にクロロプレンラバーを配することにより、放射線物質の表面付着が殆どなく、水洗いが容易であるという利点も有している。
【００１９】
外筒７の頂部には外キャップ８が被せられ、ブローブ１のリード線１aを頂部から引き出し可能としている。すなわち、放射線遮蔽素材からなる内キャップ６の一部にＶ字形の切込み６aを形成しておき、この切込み６aを通して、外筒７と外キャップ８の間からリード線１aを導出している。なお、図３に示す通り、内キャップ６の中央部に円孔６ｂを形成して、この円孔を通して引き出すようにしても良い。
【００２０】
放射線測定器のブローブ１を内包する構成であるため、内筒２は有底の筒状体としているが、放射線遮蔽素材で被覆されていないので、底部を計測対象部に向ければ、周囲の放射線量は減衰・遮蔽されており、対象物本来の線量を計測することができるものである。
【００２１】
この補助具においては、放射線測定器のブローブ１を内包するスペースがあればよく、使用素材も塩化ビニル筒と合成ゴムまたは樹脂の独立気泡の発泡体構造のカバーシート３とゴムまたは樹脂を主材とした３層構造の外筒７と外キャップ８とに構成されるので、小型・軽量化が可能であり、携帯に便利なのは勿論、手持ちで天井や壁など全方向への計測が容易となっている。
【００２２】
図３の補助具は、前述の通り、ブローブのリード線の引き出し手段として内キャップ６の中央部に円孔６ｂを形成した点で異なるほか、外筒７に頂部の形状及び外キャップ８の形状に変化をもたせたものであり、全体としてポット状をしている。
【００２３】
以上の通り、この考案に係る測定器補助具は、ブローブを内包することによって、対象物以外からの放射線量を減衰させ、対象物本来の線量を計測可能としたものであり、また、軽量・小型化が可能であるため、携帯に便利であり、手持ちで天井や壁など全方向への計測が容易に行い得るものである。
【符号の説明】
【００２４】
１  ブローブ
１ａ  リード線
２  内筒
３  放射線遮蔽素材からなるカバーシート
４  締結バンド
５  セロハンシート
６  内キャップ
６ａ  切込み
６ｂ  円孔
【図１】
0003180424.tif 000003
【図２】
0003180424.tif 000004
【図３】
0003180424.tif 000005